(57)【特許請求の範囲】
【請求項１】
赤外線を制御媒体として用いて制御信号を送信し、負荷の制御を行うリモコン送信器であって、
前記負荷を操作するための複数のボタンが配置される操作面を有するケースと、
第１のスイッチング素子と、前記第１のスイッチング素子の一端に接続される、前記操作面の上方方向に送信するための第１の上方送信用赤外線発光素子と、前記第１のスイッチング素子の前記一端に接続される、前記操作面の前方方向に送信するための第１の前方送信用赤外線発光素子と、を含み、かつ、前記第１の上方送信用赤外線発光素子と前記第１の前方送信用赤外線発光素子とが一対の、並列接続の発光素子である第１の送信部と、
第２のスイッチング素子と、前記第２のスイッチング素子の一端に接続される、前記操作面の上方方向に送信するための第２の上方送信用赤外線発光素子と、前記第２のスイッチング素子の前記一端に接続される、前記操作面の前方方向に送信するための第２の前方送信用赤外線発光素子と、を含み、かつ、前記第２の上方送信用赤外線発光素子と前記第２の前方送信用赤外線発光素子とが一対の、並列接続の発光素子である第２の送信部と、
前記第１のスイッチング素子および前記第２のスイッチング素子を同時に駆動して、前記第１の送信部および前記第２の送信部の各々から前記制御信号を同時に送信させる送信制御部と、
を含み、
前記送信制御部は、前記第１のスイッチング素子を駆動する第１の駆動手段と、前記第１の駆動部とは独立に設けられる、前記第２のスイッチング素子を駆動する第２の駆動手段と、を含むリモコン送信機器。
【請求項２】
請求項１に記載のリモコン送信器において、
前記制御信号は、前記負荷としての、リモコン受信器を備える照明器具を制御する信号であるリモコン送信器。
【発明の詳細な説明】
【技術分野】
【０００１】
本発明は、赤外線を信号媒体として用いて制御信号を送信し、例えば照明器具等の負荷の制御を行うリモコン送信器に関する。
【背景技術】
【０００２】
従来よりケースの前端部に前方方向と上方方向とに指向された赤外線発光素子を設けて指向方向の異なる赤外線を送信するようにしたリモコン送信器が知られている（例えば、特許文献１参照）。
【先行技術文献】
【特許文献】
【０００３】
【特許文献１】特開平１１−２８８７８７号公報（図１、請求項１）
【発明の概要】
【発明が解決しようとする課題】
【０００４】
前述した特許文献１に記載されたリモコン送信器は、スイッチが操作されて閉じられると、送信制御部に有する一対の出力からの信号により一対のスイッチング素子が駆動されて、前方方向用の赤外線発光素子と上方方向用の赤外線発光素子とが交互に駆動され、各赤外線発光素子から赤外線リモコン信号が送信される。
しかし、前述した特許文献１に記載されたリモコン送信器は、前方方向用の赤外線発光素子が一方のスイッチング素子で駆動され、上方方向用の赤外線発光素子が他方のスイッチング素子で駆動される。そのため、前述した特許文献１に記載されたリモコン送信器は、いずれか一方のスイッチング素子が故障した場合、前方方向用の赤外線発光素子と上方方向用の赤外線発光素子とのいずれかが駆動されなくなり、赤外線リモコン信号が前方方向と上方方向とのいずれか一方からのみしか送信されなくなる。
これにより、前述した特許文献１に記載されたリモコン送信器は、いずれか一方のスイッチング素子が故障した場合に、赤外線リモコン信号が前方方向と上方方向とのいずれか一方からのみしか送信されなくなってユーザーの使い勝手が良好ではない。
【０００５】
本発明は、前述した課題を解決するためになされたものであり、その目的は、ユーザーの使い勝手を良好にできるリモコン送信器を提供することにある。
【課題を解決するための手段】
【０００６】
本発明に係るリモコン送信器は、赤外線を制御媒体として用いて制御信号を送信し、負荷の制御を行うリモコン送信器であって、前記負荷を操作するための複数のボタンが配置される操作面を有するケースと、第１のスイッチング素子と、前記第１のスイッチング素子の一端に接続される、前記操作面の上方方向に送信するための第１の上方送信用赤外線発光素子と、前記第１のスイッチング素子の前記一端に接続される、前記操作面の前方方向に送信するための第１の前方送信用赤外線発光素子と、を含み、かつ、前記第１の上方送信用赤外線発光素子と前記第１の前方送信用赤外線発光素子とが一対の、並列接続の発光素子である第１の送信部と、第２のスイッチング素子と、前記第２のスイッチング素子の一端に接続される、前記操作面の上方方向に送信するための第２の上方送信用赤外線発光素子と、前記第２のスイッチング素子の前記一端に接続される、前記操作面の前方方向に送信するための第２の前方送信用赤外線発光素子と、を含み、かつ、前記第２の上方送信用赤外線発光素子と前記第２の前方送信用赤外線発光素子とが一対の、並列接続の発光素子である第２の送信部と、前記第１のスイッチング素子および前記第２のスイッチング素子を同時に駆動して、前記第１の送信部および前記第２の送信部の各々から前記制御信号を同時に送信させる送信制御部と、を含み、前記送信制御部は、前記第１のスイッチング素子を駆動する第１の駆動手段と、前記第１の駆動部とは独立に設けられる、前記第２のスイッチング素子を駆動する第２の駆動手段と、を含む。
【０００７】
本発明に係るリモコン送信器は、制御信号が、前記負荷としての、リモコン受信器を備える照明器具を制御する信号である。
【発明の効果】
【０００８】
本発明のリモコン送信器によれば、ユーザーの使い勝手を良好にできるという効果を奏する。
【図面の簡単な説明】
【０００９】
【図１】本発明に係る一実施形態のリモコン送信器の斜め上方から視た外観斜視図
【図２】図１のリモコン送信器の回路構成図
【図３】図１のリモコン送信器の動作を説明するタイムチャート
【発明を実施するための形態】
【００１０】
以下、本発明の一実施形態に係るリモコン送信器について図面を参照して説明する。
本発明の一実施形態であるリモコン送信器１０は、ケース１１と、送信制御部１２と、全灯ボタン１３と、調光ボタン１４と、消灯ボタン１５と、常夜灯ボタン１６と、明暗ボタン１７と、全灯スイッチＳＷ１と、調光スイッチＳＷ２と、消灯スイッチＳＷ３と、常夜灯スイッチＳＷ４と、第１スイッチング素子Ｔｒ１と、第１前方送信用赤外線発光素子（以下、第１前方発光素子とも言う）ＬＥＤ１と、第１上方送信用赤外線発光素子（以下、第１上方発光素子とも言う）ＬＥＤ３と、第２スイッチング素子Ｔｒ２と、第２前方送信用赤外線発光素子（以下、第２前方発光素子とも言う）ＬＥＤ２と、第２上方送信用赤外線発光素子（以下、第２上方発光素子とも言う）ＬＥＤ４とを備える。
【００１１】
図１に示すように、リモコン送信器１０は、ケース１１が、上ケース１８と、上ケース１８に結合される下ケース１９とからなる。上ケース１８は、操作面上に、全灯ボタン１３と、調光ボタン１４と、消灯ボタン１５と、常夜灯ボタン１６と、明暗ボタン１７とが所定位置に取り付けられている。また、上ケース１８は、操作面上に、第１上方発光素子ＬＥＤ３と、第２上方発光素子ＬＥＤ４とが、指向方向を上方として所定位置に取り付けられている。そして、上ケース１８と下ケース１９との前面部２０には、第１前方発光素子ＬＥＤ１と、第２前方発光素子ＬＥＤ２とが指向方向を前方として取り付けられている。
【００１２】
ケース１１内には、不図示の回路基板上に、送信制御部１２と、全灯スイッチＳＷ１と、調光スイッチＳＷ２と、消灯スイッチＳＷ３と、常夜灯スイッチＳＷ４と、ＮＰＮ型の第１スイッチング素子Ｔｒ１と、同じくＮＰＮ型の第２スイッチング素子Ｔｒ２とが実装されており、不図示のバッテリーが収容されている。
【００１３】
図２に示すように、送信制御部１２には、第１駆動回路２１と、第２駆動回路２２とが内蔵されており、電源ＶＤＤと、全灯スイッチＳＷ１と、調光スイッチＳＷ２と、消灯スイッチＳＷ３と、常夜灯スイッチＳＷ４とが接続されている。第１駆動回路２１は第１スイッチング素子Ｔｒ１のベースに接続されている。第２駆動回路２２は第２スイッチング素子Ｔｒ２のベースに接続されている。
【００１４】
第１前方発光素子ＬＥＤ１は、そのアノードが電流制限用の抵抗Ｒ１を通じてコレクタ電源ＶＣＣに接続されており、そのカソードが第１スイッチング素子Ｔｒ１のコレクタに接続されている。第１上方発光素子ＬＥＤ３は、そのアノードが電流制限用の抵抗Ｒ３を通じてコレクタ電源ＶＣＣに接続されており、そのカソードが第１スイッチング素子Ｔｒ１のコレクタに接続されている。即ち、第１前方発光素子ＬＥＤ１と、第１上方発光素子ＬＥＤ３とは第１スイッチング素子Ｔｒ１に並列に接続されている。
【００１５】
第２前方発光素子ＬＥＤ２は、そのアノードが電流制限用の抵抗Ｒ２を通じてコレクタ電源ＶＣＣに接続されており、そのカソードが第２スイッチング素子Ｔｒ２のコレクタに接続されている。第２上方発光素子ＬＥＤ４は、そのアノードが電流制限用の抵抗Ｒ４を通じてコレクタ電源ＶＣＣに接続されており、そのカソードが第２スイッチング素子Ｔｒ２のコレクタに接続されている。即ち、第２前方発光素子ＬＥＤ２と、第２上方発光素子ＬＥＤ４とは第２スイッチング素子Ｔｒ２に並列に接続されている。
【００１６】
送信制御部１２は、全灯ボタン１３、調光ボタン１４、消灯ボタン１５、常夜灯ボタン１６が押下された際に、全灯ボタン１３、調光ボタン１４、消灯ボタン１５、常夜灯ボタン１６の押下により、全灯スイッチＳＷ１、調光スイッチＳＷ２、消灯スイッチＳＷ３、常夜灯スイッチＳＷ４が閉成され、それに伴い、例えばローレベルに切換ったポートをトリガとして、全灯トリガ信号、調光トリガ信号、消灯トリガ信号、常夜灯トリガ信号をそれぞれ処理して、全灯指令信号、調光指令信号、消灯指令信号、常夜灯指令信号をそれぞれ独立して生成する。そして、各指令信号により、第１駆動回路２１が第１スイッチング素子Ｔｒ１のベースをローレベルにすると同時に、第２駆動回路２２が第２スイッチング素子Ｔｒ２のベースをローレベルにして、第１スイッチング素子Ｔｒ１および第２スイッチング素子Ｔｒ２がオンされる。なお、調光ボタン１４が押下されることにより調光スイッチＳＷ２が閉成された際に、明暗ボタン１７が明側に押下されるか或いは暗側に押下されるかに伴い調光指令信号が明側或いは暗側に無段階に微調整される。
【００１７】
送信制御部１２は、第１スイッチング素子Ｔｒ１および第２スイッチング素子Ｔｒ２がオンされることにより、第１前方発光素子ＬＥＤ１、第１上方発光素子ＬＥＤ３、第２前方発光素子ＬＥＤ２、第２上方発光素子ＬＥＤ４が同時に発光される。第１前方発光素子ＬＥＤ１、第１上方発光素子ＬＥＤ３、第２前方発光素子ＬＥＤ２、第２上方発光素子ＬＥＤ４からは、例えば３８〜４０ｋＨｚに変調されてパルス間隔により全灯指令信号、調光指令信号、消灯指令信号、常夜灯指令信号に設定された各ビットを有する赤外線信号が送信される。そして、赤外線信号は、負荷である不図示の照明器具に搭載されているフォトトランジスタ等の受光素子により受信されて復調される。
【００１８】
次に、リモコン送信器１０の動作について説明する。なお、以下の動作説明においては、全灯ボタン１３が押下された場合についてのみ説明を行い、他の調光ボタン１４、消灯ボタン１５、常夜灯ボタン１６については同様の動作を行うために、それらの説明は省略する。
図３に示すように、まず、時刻Ｔ１において、ユーザーにより全灯ボタン１３が押下されることにより全灯スイッチＳＷ１が閉成されると、送信制御部１２により全灯トリガ信号が処理されて全灯指令信号が生成される。そして、全灯指令信号により、第１駆動回路２１による第１スイッチング素子Ｔｒ１のオンにより第１前方発光素子ＬＥＤ１、第１上方発光素子ＬＥＤ３から全灯指令信号を含む赤外線信号が送信され、同時に、第２駆動回路２２による第２スイッチング素子Ｔｒ２のオンにより第２前方発光素子ＬＥＤ２、第２上方発光素子ＬＥＤ４から全灯指令信号を含む赤外線信号が送信される。
【００１９】
これにより、第１前方発光素子ＬＥＤ１から指向方向を上方とする全灯指令信号を含む赤外線信号が送信されるとともに、第１上方発光素子ＬＥＤ３から指向方向を前方とする全灯指令信号を含む赤外線信号が送信される。同時に、第２前方発光素子ＬＥＤ２から指向方向を上方とする全灯指令信号を含む赤外線信号が送信されるとともに、第２上方発光素子ＬＥＤ４から指向方向を前方とする全灯指令信号を含む赤外線信号が送信される。そして、全灯指令信号を含む赤外線信号が照明器具の受光素子により受信され、照明器具が全灯で点灯される。
【００２０】
これとは異なり、第１スイッチング素子Ｔｒ１が故障していた場合、時刻Ｔ２において、ユーザーにより全灯ボタン１３が押下されることにより全灯スイッチＳＷ１が閉成されると、送信制御部１２により全灯トリガ信号が処理されて全灯指令信号が生成される。そして、全灯指令信号により、第１駆動回路２１により第１スイッチング素子Ｔｒ１はオンされずに、第２駆動回路２２による第２スイッチング素子Ｔｒ２のオンにより第２前方発光素子ＬＥＤ２、第２上方発光素子ＬＥＤ４から全灯指令信号を含む赤外線信号が送信される。
【００２１】
これにより、第２前方発光素子ＬＥＤ２から指向方向を上方とする全灯指令信号を含む赤外線信号が送信されるとともに、第２上方発光素子ＬＥＤ４から指向方向を前方とする全灯指令信号を含む赤外線信号が送信される。つまりは、第１スイッチング素子Ｔｒ１がオンされなくても、指向方向を上方とする赤外線信号および指向方向を前方とする赤外線信号が送信されることになる。そして、全灯指令信号を含む赤外線信号が照明器具の受光素子により受信され、照明器具が全灯で点灯される。なお、第１スイッチング素子Ｔｒ１ではなく、第２スイッチング素子Ｔｒ２を含む第２駆動回路２２側に故障を生じていたとしても、指向方向を上方とする赤外線信号および指向方向を前方とする赤外線信号が送信される。なお、第１駆動回路２１および第２駆動回路２２に加えて、複数の駆動回路を備えることもできる。もちろん、その場合、スイッチング素子により、指向方向を上方とする赤外線信号および指向方向を前方とする赤外線信号を発光する一対の赤外線発光素子が複数の駆動回路に接続されるのは言うまでもない。
【００２２】
従って、この一実施形態のリモコン送信器１０においては、第１スイッチング素子Ｔｒ１が故障していた場合、第１駆動回路２１により第１スイッチング素子Ｔｒ１がオンされなくても、第２駆動回路２２による第２スイッチング素子Ｔｒ２のオンにより第２前方発光素子ＬＥＤ２、第２上方発光素子ＬＥＤ４から全灯指令信号を含む赤外線信号が送信される。
これにより、この一実施形態のリモコン送信器１０においては、第１スイッチング素子Ｔｒ１を含む第１駆動回路２１側に故障が生じていたとしても、指向方向を上方とする赤外線信号および指向方向を前方とする赤外線信号が確実に送信されることにより、ユーザーの使い勝手を良好にできる。
【００２３】
また、この一実施形態のリモコン送信器１０においては、制御信号である、全灯指令信号、調光指令信号、消灯指令信号、常夜灯指令信号の赤外線信号が照明器具に送信される。
これにより、ユーザーが手で持つ場合に加えて、室内の壁面等に引掛けた場合においても、第１スイッチング素子Ｔｒ１を含む第１駆動回路２１側に故障が生じていたとしても、指向方向を上方とする赤外線信号および指向方向を前方とする赤外線信号を送信して、照明器具を確実に遠隔で操作できる。
【００２４】
なお、一実施形態で使用したケース１１、送信制御部１２、全灯ボタン１３、調光ボタン１４、消灯ボタン１５、常夜灯ボタン１６等は例示したものに限定するものではなく適宜変更が可能である。
【符号の説明】
【００２５】
１０  リモコン送信器
２１  第１駆動回路（駆動手段）
２２  第２駆動回路（駆動手段）
ＬＥＤ１  第１前方送信用赤外線発光素子（前方送信用赤外線発光素子）
ＬＥＤ２  第２前方送信用赤外線発光素子（前方送信用赤外線発光素子）
ＬＥＤ３  第１上方送信用赤外線発光素子（上方送信用赤外線発光素子）
ＬＥＤ４  第２上方送信用赤外線発光素子（上方送信用赤外線発光素子）
【図１】
0005429998.tif 000002
【図２】
0005429998.tif 000003
【図３】
0005429998.tif 000004